【事件の表示】
　特願２０１２−１３５６６５号「弾球遊技機」拒絶査定不服審判事件〔平成２４年　９月　６日出願公開、特開２０１２−１６６１０４号〕について、次のとおり審決する。
【結　論】
　本件審判の請求は、成り立たない。
【理　由】
第１　手続の経緯
　本願は、平成２０年５月８日に特許出願された特願２００８−１２２１６８号の一部を平成２４年６月１５日に新たに特許出願されたものであって、平成２６年５月２８日付けで手続補正がなされたが、平成２７年２月１９日付けで拒絶理由通知がなされ、これに対し平成２７年４月２０日付けで手続補正がなされたが、平成２７年５月２７日付けで補正の却下の決定がなされるとともに拒絶査定がなされ、これに対して、平成２７年９月１日付けで拒絶査定不服審判の請求がなされるとともに手続補正（以下、「本件補正」という。）がなされたものである。 
第２　本件補正についての補正却下の決定
［補正却下の決定の結論］
　本件補正を却下する。
 
［理由］
１．本件補正の概要
　平成２７年４月２０日付けの手続補正は既に補正却下の決定がなされている。そして、本件補正は特許請求の範囲の請求項１の記載を含む補正であり、平成２６年５月２８日付けの手続補正と本件補正の特許請求の範囲の請求項１の記載はそれぞれ、以下のとおりである（下線部は補正箇所を示す。なお、「
し且つ前記発光表示部とは異なる発光態様で発光可能な発光部を有した
　
（補正前：平成２６年５月２８日付け手続補正）
「【請求項１】
　画像を表示する画像表示手段と、
　前面に発光表示部を有し且つ前記画像表示手段の前側の演出位置と該演出位置から退避する退避位置との間で出退移動する可動演出体と、
　該可動演出体を出退移動可能に支持する発光式の可動アームとを備え、
　前記可動演出体は前記発光表示部を裏側から発光させる発光素子を備え、
　前記可動演出体の前記演出位置への移動、前記可動アームの発光、前記発光表示部の発光及び前記画像表示手段の演出画像の表示が略同期するようにした
　ことを特徴とする弾球遊技機。」
（補正後：本件補正である平成２７年９月１日付け手続補正） 
「【請求項１】
　
遊技盤の裏側の支持枠に装着され且つ
　前面に発光表示部を有し且つ前記画像表示手段の前側の演出位置と該演出位置から退避する退避位置との間で出退移動する可動演出体と、
　該可動演出体を出退移動可能に支持
し且つ前記発光表示部とは異なる発光態様で発光可能な発光部を有した
　
前記可動アームは前記退避位置では前記遊技盤の前側に配置された前飾り体と前記支持枠との間の空間内に退避可能であり、
　前記可動演出体は前記発光表示部を裏側から発光させる発光素子を備え、
　前記可動演出体の前記演出位置への移動、前記可動アームの発光、前記発光表示部の発光及び前記画像表示手段の演出画像の表示が略同期するようにした
　ことを特徴とする弾球遊技機。」
２．補正の適否　　
　審判請求時の補正によって、請求項１の記載は、上記１．の下線部が加わるように補正された。すなわち、補正後の請求項１は、補正前の請求項１に記載された発明特定事項である「画像表示手段」について、「遊技盤の裏側の支持枠に装着され」と限定するとともに、「可動アーム」について、「前記発光表示部とは異なる発光態様で発光可能な発光部を有した」、「前記可動アームは前記退避位置では前記遊技盤の前側に配置された前飾り体と前記支持枠との間の空間内に退避可能であり、」と限定するものである。
　そうすると、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、新規事項を追加するものではない。
　
３．独立特許要件
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。
（１）本件補正後の請求項１に係る発明
　補正後の請求項１に係る発明（以下、「本願補正発明」という。）は、上記１の補正の概要において示した次のとおりのものである（Ａ〜Ｆは本願補正発明を分説するため当審で付与した。）。
「Ａ．遊技盤の裏側の支持枠に装着され且つ画像を表示する画像表示手段と、
Ｂ．前面に発光表示部を有し且つ前記画像表示手段の前側の演出位置と該演出位置から退避する退避位置との間で出退移動する可動演出体と、
Ｃ．該可動演出体を出退移動可能に支持し且つ前記発光表示部とは異なる発光態様で発光可能な発光部を有した可動アームとを備え、
Ｄ．前記可動アームは前記退避位置では前記遊技盤の前側に配置された前飾り体と前記支持枠との間の空間内に退避可能であり、
Ｅ．前記可動演出体は前記発光表示部を裏側から発光させる発光素子を備え、
Ｆ．前記可動演出体の前記演出位置への移動、前記可動アームの発光、前記発光表示部の発光及び前記画像表示手段の演出画像の表示が略同期するようにした
　ことを特徴とする弾球遊技機。」
（２）刊行物に記載された事項
（２−１）刊行物１
　原査定の拒絶の理由に引用された本願の出願遡及日前に頒布された刊行物である「ＣＲぱちんこ冬のソナタ２」，パチンコ必勝ガイド2008年5月3日号，株式会社白夜書房，２００８年　５月　３日発行，p.4-16（以下、「刊行物１」という。）には、図面と共に次の事項が記載されている（下線は当審で付した。）。
（ア）第４頁には、パチンコ機「ＣＲぱちんこ冬のソナタ２」を前面から見た図が示されており、
遊技盤中央には画像表示装置が備えられ
右側には星型の装飾体
（イ）第５頁左側中央部に星型の装飾体が４つ点灯しているものが図示され、その解説として「メガポラリスが白く点滅すればチャンス！赤ならさらに…！？点滅するタイミングは回転開始時。白よりも赤の方がアツいみたいですね。」と記載されている。
（ウ）第１２頁上部中央部には「メガポラリス」として星型の装飾体４つが図示されており、
一番下の星型の装飾体は他の３つの星型の装飾体と異なる発光
４つの星型の装飾体からなる「メガポラリス」
画像表示装置の右側から画像表示装置の前側を一部覆うように移動している
　また、図面の解説として、「発展時に
ミニョンのカットインと共にメガポラリスが激しくフラッシュ
メガポラリス発動＆ミニョンカットイン
作動すれば、
（エ）上記（ア）、（イ）における「星型の装飾体」は上記（ウ）でいう「メガポラリス」であり、「メガポラリス」は４つの「星型の装飾体」が連接されて構成されている。
（オ）上記（ウ）において、４つの星型の装飾体からなる「メガポラリス」の一番下の星型の装飾体は連接された他の３つの星型の装飾体と異なる発光を可能とし、激しくフラッシュするものである。そして、メガポラリスの作動、発動は、一番下の星型の装飾体を激しくフラッシュするとともに画像表示手段を一部覆うように
移動可能
ミニョンカットインが画像表示装置に表示
（カ）第４頁、第５頁、第１２頁の図面におけるメガポラリスの各星型の装飾体は、上記（イ）のような点滅、（ウ）のようなフラッシュをするから、その
表面に発光部を備える
裏側に発光素子を備える
　以上の（ア）〜（カ）における記載内容、認定事項を総合すると、上記刊行物１には次の発明（以下、「引用発明」という。）が記載されている（ａ〜ｆは引用発明を分説するため当審で付与した。）。
「ａ　遊技盤中央には画像表示装置が備えられ、
ｂ　表面に発光部を有し、画像表示装置の前側と右側との間を移動可能な連接された４つの星型の装飾体からなるメガポラリスを備え、
ｃ　メガポラリスの一番下の星型の装飾体は連接された他の３つの星型の装飾体と移動時に異なる発光（激しくフラッシュ）を可能とし、
ｅ　メガポラリスの各星型の装飾体は表面の発光部を裏側から発光させる発光素子を備え、
ｆ　メガポラリスの画像表示装置の前側への移動時に、メガポラリスの発光、一番下の星型の装飾体の激しいフラッシュをし、ミニョンカットインを画像表示装置に表示するようにしたパチンコ機。」
（２−２）刊行物２
　本願の出願遡及日前に頒布された刊行物である特開２００７−１９５８１０号公報（以下、「刊行物２」という。）には、図面と共に次の事項が記載されている（下線は当審で付した。）
（ア）「【００３６】
　図１に示すように、
遊技領域１ａの略中央に配されるセンターケース１１は、中央に画像表示装置１５の表示領域を区画する矩形状の表示窓部１２を有するとともにその周囲に装飾が施され、遊技盤１に形成された開口（図示略）に前面側から嵌め込まれている。
この筒状の空間の後端部が画像表示装置１５の前面によって閉鎖されている。
・・・
【００４１】
　図３に示すように、
センターケース１１は前側に配される前側構成ユニット２００と、後側に配される後側構成ユニット３００から構成されている。
　
（イ）「【００５２】
　また、前側ベース部材２０１の前面側には鎧部材２１２が取り付けられている。
この鎧部材２１２は、センターケース１１の上部および側部において、前方に向かって遊技領域１ａ内に突出するように配され、
・・・
【００６０】
　図５に示すように、後側構成ユニット３００は、枠状の後側ベース部材３０１を有し、この後側ベース部材３０１に各種の部材が取り付けられている。
この後側ベース部材３０１は、センターケース１１の後端部に位置するものであって、中央に矩形状の開口である表示窓部１２を有しており、この後側ベース部材３０１の裏面に画像表示装置１５の前面が当接した状態で固定される
（ウ）「【０１１８】
　次に、以上のように構成される可動演出機構における演出動作について説明する。
　演出動作は、遊技を制御する遊技制御手段からのコマンドに基づき、表示制御手段の制御の下で行われるようになっており、変動表示ゲームの変動開始時、リーチ状態となった場合、特別遊技状態中などに、画像表示装置１５の表示態様に関連して第１可動演出部材３２０、第２可動演出部材３２１を動作させることで行われる。
【０１１９】
　可動演出機構による演出が行われていない
非動作時には、図１１に示すように、第１可動演出部材３２０、第２可動演出部材３２１は、表示窓部１２の前面から退避した常態位置に存在する
（エ）「【０１２６】
　なお、図１３（ｂ）示すように、第３歯車３６５の第１係合部３６５ａは、図１２（ｂ）に示す状態よりも、さらに第１被係合部３５３ｃを上方向に押し上げた状態となる。よって、図１３（ａ）に示すように、
第１可動演出部材３２０は、図１２（ａ）に示す状態よりもより大きく下方に回動することとなる。
図１３（ａ）に示す状態が、第１可動演出部材３２０、第２可動演出部材３２１の下限位置となる。
（オ）【図７】には、前側構成ユニット２００と、後側に配される後側構成ユニット３００から構成されているセンターケース１１と鎧部材２１２の間に第１可動演出部材３２０が配置されることが図示されている。そして、【図１１】には、第１可動演出部材３２０、第２可動演出部材３２１は、センターケース１１と鎧部材２１２の間に退避したことが図示され、【図１２】〜【図１３】には、第１可動演出部材３２０、第２可動演出部材３２１は、画像表示装置１５の前に移動していることが図示されている。
　以上より、刊行物２には以下の技術事項が記載されているものと認められる。
（カ）画像表示装置１５は遊技盤１の開口にセンターケース１１を介して取り付けられること。
（キ）第１可動演出部材３２０、第２可動演出部材３２１は、鎧部材２１２とセンターケース１１の間に退避可能としたこと。
（２−３）刊行物３
　本願の出願遡及日前に頒布された刊行物である特開２００７−３１２９７３号公報（以下、「刊行物３」という。）には、図面と共に次の事項が記載されている（下線は当審で付した。）
（ア）「【００１４】
　次に、
遊技盤４１上の遊技領域４２の構成
　図３に示すように、この遊技領域４２は、所定厚さの板材をなした遊技盤４１上に入賞口などの各構造物が配設され、それを囲むように環状のレール４３が立設されて構成されている。このレール４３は、発射されたパチンコ球を遊技領域４２内に案内する重複して形成した案内路４４を構成し、右肩部にはレール４３に沿って打ち込まれるパチンコ球の進行を制限するための段差部４５を有する。
　遊技領域４２のほぼ中央には、開口部が開設され、この開口部の前面側に図柄表示装置としての特別図柄表示装置４８が配設されている。この特別図柄表示装置４８は、遊技盤４１の前面側に装着される前面側装飾部材４６と、
遊技盤４１の裏面側に装着されて、前面側装飾部材４６の背面側に配置される裏側装飾部材４７（図４参照）と、裏側装飾部材４７の背面部に取り付けられる液晶表示器（ＬＣＤ）５２
裏側装飾部材４７の前面部の液晶表示器５２の略右下角部近傍位置に回転中心が配置されて、通常時は前面側装飾部材４６に覆われる細長形状のスイングライト６８
（イ）「【００１８】
　次に、特別図柄表示装置４８の構成について図４に基づいて説明する。
　図４に示すように、特別図柄表示装置４８を構成する
前側装飾部材４６は
この開口部の周囲を閉塞すると共に装飾している。
　また、
特別図柄表示装置４８を構成する裏側装飾部材４７は、遊技盤４１の中央部に開設される開口部に裏側から嵌入されて、遊技盤４１の背面部にビス止め等によって取り付けられている。
（ウ）「【０１３２】
　以上説明した通り、本実施例に係るパチンコ機１によれば、液晶表示器５２の略右下角部近傍位置に回転中心が配置されて、
通常時は前面側装飾部材４６に覆われる細長形状のスイングライト６８を、リーチ状態の際に、最大中心角度θ１で揺動させるように駆動制御する
（エ）【図３９】、【図４１】、【図４２】には、スイングライト６８が液晶表示器５２の前方まで移動することが図示されている。
　以上より、刊行物３には以下の技術事項が記載されているものと認められる。
（オ）液晶表示器（ＬＣＤ）５２は遊技盤４１の背面部に裏側装飾部材４７を介して取り付けられること。
（カ）スイングライト６８は前面側装飾部材４６と裏側装飾部材４７の間に退避可能としたこと。
（３）対比
　本願補正発明と引用発明とを対比する。
（ア）引用発明の「遊技盤中央に」「備えられた画像表示装置」と、本願補正発明の「遊技盤の裏側の支持枠に装着され且つ画像を表示する画像表示手段」とを対比すると、引用発明の「画像表示装置」は、本願補正発明の「画像を表示する画像表示手段」に相当する。そして、「遊技盤中央には備えられ」は「遊技盤に装着され」を意味する。
　したがって、両者は「遊技盤に装着され且つ画像を表示する画像表示手段」である点で共通する。
（イ）引用発明の４つの星型の装飾体からなるメガポラリスは画像表示装置の前側と右側との間を移動可能であるから、画像表示装置の表示に邪魔にならない右側（退避位置）と、演出が行われる画像表示装置の前側（演出位置）との間で移動可能である。
　そして、「メガポラリスの一番下の星型の装飾体」は移動時に他の星型の装飾体と異なる発光を可能とするものであるから、他の星型の装飾体と異なる演出を可能とするものである。
　そうすると、引用発明のメガポラリスの「一番下の星型の装飾体」は、本願補正発明の画像表示手段の前側の演出位置と該演出位置から退避する退避位置との間で出退移動する「可動演出体」に相当するといえる。
（ウ）上記（イ）を踏まえると、引用発明のメガポラリスの「他の星型の装飾体」は、一番下の星型の装飾体（可動演出体）を出退移動可能に支持するものといえる。また、引用発明のメガポラリスの「連接された他の星型の装飾体」と「一番下の星型の装飾体」は異なる発光を可能とするものである。
　そうすると、引用発明の「連接された他の星型の装飾体」は、本願補正発明の可動演出体を出退移動可能に支持し且つ前記発光表示部とは異なる発光態様で発光可能な発光部を有した「可動アーム」に相当する。
（エ）引用発明のメガポラリスの各星型の装飾体は表面の発光部を裏側から発光させる発光素子を備えているから、星型の装飾体の１つである「一番下の星型の装飾体」（可動演出体）も、本願補正発明の可動演出体と同様に発光表示部を裏側から発光させる発光素子を備えている。
（オ）引用発明の「メガポラリスの画像表示装置の前側への移動時に、メガポラリスの発光、一番下の星型の装飾体の激しいフラッシュをし、ミニヨンカットインを画像表示装置に表示するようにした」と、本願補正発明の「前記可動演出体の前記演出位置への移動、前記可動アームの発光、前記発光表示部の発光及び前記画像表示手段の演出画像の表示が略同期するようにした」を対比する。
　引用発明のメガポラリスの移動時には一番下の星型の装飾体（可動演出体）の移動もあり、「画像表示装置の前側への移動」は「演出位置への移動」に相当する。そして、引用発明のメガポラリスの発光には「他の星型の装飾体」である可動アームの発光も含まれる。また、引用発明の「一番下の星型の装飾体の激しいフラッシュ、ミニョンカットインを画像表示装置に表示」は、本願補正発明の「発光表示部の発光及び前記画像表示手段の演出画像の表示」に相当する。
　そうすると、引用発明の「メガポラリスの画像表示装置の前側への移動時に、メガポラリスの発光、一番下の星型の装飾体の激しいフラッシュをし、ミニョンカットインを画像表示装置に表示するようにした」は、本願補正発明の「前記可動演出体の前記演出位置への移動、前記可動アームの発光、前記発光表示部の発光及び前記画像表示手段の演出画像の表示が略同期するようにした」と、「前記可動演出体の前記演出位置への移動、前記可動アームの発光、前記発光表示部の発光及び前記画像表示手段の演出画像の表示」をするようにしたこと点で共通する。
　また、引用発明の「パチンコ機」は本願補正発明の「弾球遊技機」に相当するものである。
　そうすると、両者は、
Ａ’遊技盤に装着され且つ画像を表示する画像表示手段と、
Ｂ　前面に発光表示部を有し且つ前記画像表示手段の前側の演出位置と該演出位置から退避する退避位置との間で出退移動する可動演出体と、
Ｃ　該可動演出体を出退移動可能に支持し且つ前記発光表示部とは異なる発光態様で発光可能な発光部を有した可動アームとを備え、
Ｅ　前記可動演出体は前記発光表示部を裏側から発光させる発光素子を備え、
Ｄ’前記可動アームは退避位置に退避可能であり、
Ｆ’前記可動演出体の前記演出位置への移動、前記可動アームの発光、前記発光表示部の発光及び前記画像表示手段の演出画像の表示をするようにした弾球遊技機。」
である点で一致しており、次の点で相違する。
（相違点１）
　画像表示手段について、本願補正発明は遊技盤の裏側の支持枠に装着されているが、引用発明は遊技盤に装着した点。
（相違点２）
　前記可動アームの退避について、本願補正発明は、前記遊技盤の前側に配置された前飾り体と前記支持枠との間の空間内に退避可能としたのに対し、引用発明はそのような特定がなされていない点。
（相違点３）
　前記可動演出体の前記演出位置への移動、前記可動アームの発光、前記発光表示部の発光及び前記画像表示手段の演出画像の表示について、本願補正発明は略同期するようにしたのに対し、引用発明はそのような特定が定かでない点。
（４）判断
　そこで、まず前記相違点１について検討する。
　刊行物３には、上記（２−３）（オ）のように、液晶表示器（ＬＣＤ）５２は遊技盤４１の背面部に裏側装飾部材４７を介して取り付けられることが記載されている。ここで、「液晶表示器（ＬＣＤ）５２」、「遊技盤４１の背面部」、「裏側装飾部材４７」は、それぞれ、「画像表示手段」、「遊技盤の裏側」、「支持枠」に言い換えることができるから、刊行物３には、「遊技盤の裏側の支持枠に装着された画像表示手段」が記載されているといえる。
　そして、遊技機において画像表示手段をどのように装着するかは設計事項であるところ、引用発明において、刊行物３に記載された記載事項を適用し、前記相違点１に係る本願補正発明の構成とすることは当業者が容易に行い得ることである。
　次に前記相違点２について検討する。
　一般に、遊技機における可動演出体、可動アームの移動において、演出時には表示画面上に接近させ、通常時には表示画面から離れた位置、見えない位置に退避させることは周知慣用事項といえる。
　そして、前記刊行物２には、上記（２−２）（キ）において、第１可動演出部材３２０、第２可動演出部材３２１は、鎧部材２１２とセンターケース１１の間に退避可能としたことが記載されている。ここで、「第１可動演出部材３２０」、「第２可動演出部材３２１」は、「可動アーム」を含んでおり、「鎧部材２１２」は「遊技盤の前側に配置された前飾り体」ということができ、「センターケース１１」は「支持枠」ということができる。したがって、刊行物２には、「可動アームは遊技盤の前側に配置された前飾り体と支持枠との間の空間内に退避可能であること」が記載されているといえる。
　また、上記刊行物３には、上記（２−３）（カ）において、スイングライト６８は前面側装飾部材４６と裏側装飾部材４７の間に退避可能としたことが記載され、同様に表現を変えれば、「可動アームは遊技盤の前側に配置された前飾り体と支持枠との間の空間内に退避可能であること」が記載されているといえる。
　このように、前飾り体と支持枠との間の空間内に可動アームを退避させることは刊行物２、３に記載のとおり遊技機において本願の出願遡及日前に周知技術である。
　そして、引用発明において、可動アームの退避場所として上記刊行物２、３に記載の周知技術を適用して、前記相違点２に係る本願補正発明の構成とすることは当業者が容易に行い得ることである。
　更に相違点３について検討する。
　引用発明は「メガポラリスの画像表示装置の前側への移動時に、メガポラリスの発光、一番下の星型の装飾体の激しいフラッシュをし、ミニョンカットインを画像表示装置に表示する」について、発光、フラッシュ、画面表示の一連の演出は「メガポラリス」の移動時に行うことを示しており、移動も含めこれら一連の演出を略同期させて行うことは、遊技機において特定タイミングでの演出効果の向上を考慮すれば当業者が容易に行えることである。
　したがって、引用発明から前記相違点３に係る本願補正発明の構成とすることは当業者が容易に行い得ることである。
　そして、本願補正発明の効果について、引用発明、刊行物３に記載された事項、周知技術からみて格別なものではない。
（５）審判請求人の主張について
　審判請求人は請求書第４頁において以下のような主張をしている。
「３）そこで、本願発明と引用文献１のメガロポリスとを対比するに当たって、引用文献１のメガロポリスの「下端の装飾部材」が本願発明の可動演出体に、引用文献１のメガロポリスの「下端の装飾部材以外の部分」が本願発明の可動アームに夫々相当すると仮定しましても、本願発明の可動アームは前飾り体と支持枠との間の空間内に退避可能であるのに対して、引用文献１のメガロポリスの「下端の装飾部材以外の部分」は退避位置でも前飾り体の前側に露出状態にあります。
４）従って、本願発明は、可動アームが退避位置では遊技盤の前側に配置された前飾り体と支持枠との間の空間内に退避可能である点において、引用文献１に記載の発明とは構成が大きく相違するものであります。」
　しかしながら、上記（４）において前記相違点２として検討したとおりであるから、請求人の主張は採用できない。
　また、平成２８年４月２８日付けの上申書において、次のように補正の用意がある旨主張している。
『遊技盤の裏側の支持枠に装着され且つ
画像表示部に
　前面に発光表示部を有し且つ前記
画像表示部の前中央側の
　該可動演出体を出退移動可能に支持し且つ前記発光表示部とは異なる発光態様で発光可能な発光部を有した可動アームと
、
　前記可動アームは前記退避位置では前記遊技盤の前側に配置された前飾り体と前記支持枠との間の空間内に退避可能であり、
　前記可動演出体は前記発光表示部を裏側から発光させる発光素子を備え、
　前記可動演出体の前記演出位置への移動
と
と
と、前記発光表示部の周辺で前記画像表示部に表示される
と
　ことを特徴とする弾球遊技機。』
　そこで、前記補正箇所について一応検討を加える。
　まず、可動演出体を画像表示部の前中央側まで移動させることは、先の刊行物２の【図１３】、刊行物３の【図４２】をはじめ、可動演出体を備えた遊技機において本願の遡及出願日前に周知技術といえる。
　また、可動演出体の発光部周辺と画面表示部に表示される演出画像の表示を略同期させるようにすることについて検討すると、引用発明の可動演出体は星型の装飾体であるから周辺を目立つように発光させることは当然のことである。したがって、可動演出体の発光部周辺と画面表示部に表示される演出画像の表示を略同期させることは刊行物１に記載の事項から当業者が容易になし得ることである。
　したがって、上記補正が仮になされたとしても、補正をされた本願補正発明が引用発明、刊行物３に記載された事項、周知技術から当業者が容易に想到し得るものである。
（６）小括
　よって、本願補正発明は引用発明及び刊行物３に記載された事項、周知技術に基づいて当業者が容易に発明できたものであり、特許法第２９条第２項の規定に基づいて特許出願の際独立して特許を受けることができない。
４．むすび
　以上より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本件補正は、上記第２のとおり却下されたので、本願の請求項１に係る発明（以下、「本願発明」という。）は、平成２６年５月２８日付けの手続補正書により補正された、上記第２の１．で示した特許請求の範囲の請求項１に記載された次のとおりのものである。
「【請求項１】
　画像を表示する画像表示手段と、
　前面に発光表示部を有し且つ前記画像表示手段の前側の演出位置と該演出位置から退避する退避位置との間で出退移動する可動演出体と、
　該可動演出体を出退移動可能に支持する発光式の可動アームとを備え、
　前記可動演出体は前記発光表示部を裏側から発光させる発光素子を備え、
　前記可動演出体の前記演出位置への移動、前記可動アームの発光、前記発光表示部の発光及び前記画像表示手段の演出画像の表示が略同期するようにした
　ことを特徴とする弾球遊技機。」
１．刊行物
　原査定の拒絶の理由に引用された刊行物１の記載事項は、上記第２の３．（２）に記載したとおりである。
　
２．対比・判断
　本願発明は、基本的に本願補正発明の発明特定事項から、上記第２の１．の下線部の構成を省いたものである。
　本願発明と先の引用発明を対比すると、上記第２の３．（３）における相違点３で相違し、残余の点で一致する。
　そして、相違点３については上記第２の３．（４）において、検討・判断したとおり当業者が容易に行い得ることである。
　そうすると、本願発明は原査定のとおり、引用発明に基づいて当業者が容易に発明できたものである。
　
３．むすび
　以上のとおり、本願発明は、特許法第２９条第２項の規定に基づいて特許を受けることができないものである。
　したがって、本願は拒絶すべきである。　
　よって、結論のとおり審決する。